(57)【特許請求の範囲】
【請求項１】
鉄道の単線区間の線路に設けられた踏切の両側のうち何れか一方で前記線路に第１接続線を介して外部接続するための第１接続端子と、前記第１接続端子に接続された制御子内配線を介して照査用発振信号の送出を試行して前記照査用発振信号の一巡伝送の状態を検出する発振有無検出部と、前記照査用発振信号の一巡伝送の検出の有無に応じて選択的に出力リレーを励磁するリレー駆動部とを備えた開電路形の終止点用踏切制御子において、前記踏切の両側のうち何れか他方で前記線路に第２接続線を介して外部接続するための第２接続端子と、前記線路を走行して前記踏切に接近して来た列車の上り下りを判別する列車方向判別手段から送出された列車運転方向指示を伝える第３接続線を外部接続するための第３接続端子と、前記制御子内配線から分岐して前記第２接続端子に接続された分岐配線および前記制御子内配線に割り込む形で介挿接続されていて第１切替状態では前記照査用発振信号の送出先を前記第１接続端子に切り替えるが第２切替状態では前記照査用発振信号の送出先を前記第２接続端子に切り替える切替回路部と、前記列車運転方向指示に応じて前記切替回路部に前記第１切替状態と前記第２切替状態とのうち何れか一方の切替状態をとらせる切替制御部とを設けたことを特徴とする終止点用踏切制御子。
【請求項２】
前記発振有無検出部または前記制御子内配線に配設されていて前記制御子内配線にて伝送される前記照査用発振信号のレベルを加減調整する第１調整部と、前記分岐配線に配設されていて前記分岐配線にて伝送される前記照査用発振信号のレベルを加減調整する第２調整部とを備えたことを特徴とする請求項１記載の終止点用踏切制御子。
【請求項３】
前記発振有無検出部から出力された前記照査用発振信号のレベルを検出するレベル検出回路と、前記列車運転方向指示の如何に拘わらず前記切替回路部に前記第１切替状態をとらせたうえで前記レベル検出回路の検出値を取得しそれを調整済みレベル値として記憶保持しておきそれから前記切替回路部に前記第２切替状態をとらせたうえで前記レベル検出回路の検出値が前記調整済みレベル値に一致するように前記第２調整部を作動させる調整制御手段とを備えたことを特徴とする請求項２記載の終止点用踏切制御子。
【請求項４】
前記列車運転方向指示の如何に拘わらず前記切替回路部に前記第１切替状態をとらせたうえで前記第１調整部を作動させて前記照査用発振信号のレベルを単調に漸増または漸減させながら前記リレー駆動部の励磁状態を監視しその励磁状態が変化したら前記第１調整部の作動を停止させる調整制御手段を備えたことを特徴とする請求項２記載の終止点用踏切制御子。
【請求項５】
前記列車運転方向指示の如何に拘わらず前記切替回路部に前記第２切替状態をとらせたうえで前記第２調整部を作動させて前記照査用発振信号のレベルを単調に漸増または漸減させながら前記リレー駆動部の励磁状態を監視しその励磁状態が変化したら前記第２調整部の作動を停止させる調整制御手段を備えたことを特徴とする請求項２記載の終止点用踏切制御子。
【請求項６】
前記発振有無検出部から出力された前記照査用発振信号のレベルを検出するレベル検出回路を備え、前記調整制御手段が、前記第１調整部および前記第２調整部のうち何れか一方について前記リレー駆動部の励磁状態の変化に基づく調整が済んだら前記レベル検出回路の検出値を取得し、それを調整済みレベル値として記憶保持しておき、それから前記列車運転方向指示の如何に拘わらず前記切替回路部に前記第１切替状態および前記第２切替状態のうち前記リレー駆動部の励磁状態の変化に基づく調整のときの切替状態と異なる切替状態をとらせたうえで前記レベル検出回路の検出値が前記調整済みレベル値に一致するように前記第１調整部および前記第２調整部のうち何れか他方を作動させるようになっていることを特徴とする請求項４又は請求項５に記載された終止点用踏切制御子。
【請求項７】
前記調整制御手段が又は前記調整制御手段および前記レベル検出回路が、前記発振有無検出部と前記リレー駆動部と前記切替回路部と前記切替制御部とを内蔵している筐体とは別体の調整治具に納められていることを特徴とする請求項３乃至請求項６の何れか一項に記載された終止点用踏切制御子。
【請求項８】
請求項４又は請求項５に記載された終止点用踏切制御子の調整方法であって、前記線路における前記第１接続線および前記第２接続線の接続部位が属する列車検知長の端のところで前記線路が列車の車軸で短絡された状態を実際に又は模擬的に現出させてから、前記調整制御手段を作動させることにより、前記第１接続線を経由する照査用発振信号と前記第２接続線を経由する照査用発振信号とのレベルを整合させることを特徴とする終止点用踏切制御子の調整方法。
【発明の詳細な説明】
【技術分野】
【０００１】
この発明は、鉄道の単線区間の踏切に設置される踏切保安装置のうち、無絶縁で使用できる短小軌道回路の一種である開電路形の終止点用踏切制御子に関する。
また、そのような終止点用踏切制御子の調整方法にも関する。
なお、本願に添付した特許請求の範囲および明細書では、「列車の運転方向」を「列車運転方向」と言う。また、「列車運転方向」を示す出力がリレー出力であれリレー以外の信号出力であれ、それを「列車運転方向指示」と言う。
【背景技術】
【０００２】
鉄道の線路の踏切に設置される踏切保安装置は（例えば非特許文献１，２参照）、列車を検知するための踏切制御子と、音響にて警報を発するためのスピーカとせん光にて警報を発するための警報灯を装備した踏切警報機と、第３種の踏切には無いが第１種の踏切では踏切遮断機と、踏切制御子の検知結果に基づいて踏切警報機や踏切遮断機の動作を制御する踏切制御装置とを具えている。そして、踏切の手前の始動点に設置された踏切制御子で列車を検知すると、踏切警報機にて警報を発するとともに、少し時間をおいて第１種の踏切では踏切遮断機を降下させ、踏切通過後の終止点に設置された踏切制御子で列車通過を検知すると、警報等を止めるとともに、第１種の踏切では踏切遮断機を上昇させるようになっている。以下、このような踏切保安装置や踏切制御子の構成等を、図面を引用して説明する。
【０００３】
図６は、（ａ）が複線区間における踏切制御子２１〜２４の配置図、（ｂ）が単線区間における踏切制御子２１，２３，２４の配置図、（ｃ）が単線用の踏切制御装置３１を含む単線用の踏切保安装置のブロック図、（ｄ）が閉電路形の始動点用踏切制御子２１，２３の接続図、（ｅ）が開電路形の終止点用踏切制御子２２，２４の接続図である。また、図７（ａ）は、終止点用踏切制御子２４に発振式のものを採用したときのブロック図であり、同図（ｂ）は、終止点用踏切制御子２４に送受信式のＨ形を採用したときのブロック図である。さらに、図８（ａ）は、コストを考慮して現在設置されている単線用踏切保安装置に係る概要構成図であり、同図（ｂ）は、コストを無視すれば理想といえる単線用踏切保安装置に係る概要構成図である。
【０００４】
複線区間の踏切８に係る踏切保安装置では（図６（ａ）参照）、下り側の線路１０について踏切８の起点側で手前位置の下り始動点ＡＤＣに始動点用踏切制御子２１が設置されるとともに踏切８の終点側で列車通過後位置の下り終止点ＢＤＣに終止点用踏切制御子２２が設置されるばかりか、上り側の線路１０についても踏切８の終点側で手前位置の上り始動点ＣＤＣに始動点用踏切制御子２３が設置されるとともに踏切８の起点側で列車通過後位置の上り終止点ＤＤＣに終止点用踏切制御子２４が設置される。始動点ＡＤＣ，ＣＤＣは、踏切警報を発してから列車が踏切８に到達するまでの時間を確保するために、例えば駅中間の踏切で列車の走行速度が１００ｋｍ／Ｈの場合には踏切８から７００〜 ８００ｍ程の遠くに設定されるが、終止点ＢＤＣ，ＤＤＣは、踏切横断物等による誤作動を避けつつも列車の通過を早く検出するために、踏切８から例えば２０〜３０ｍ程の近くに設定されることが多い。
【０００５】
これに対し（図６（ｂ）参照）、線路１０が一つしかない単線区間に設けられた踏切８に係る踏切保安装置では、同じ線路１０に対し、踏切８の両側に分かれて下り始動点ＡＤＣと上り始動点ＣＤＣとが設定され、下り始動点ＡＤＣには始動点用踏切制御子２１が設置される一方、上り始動点ＣＤＣには始動点用踏切制御子２３が設定される。また、同じ線路１０に対し、下り終止点ＢＤＣと上り終止点ＤＤＣとのうち何れか一方だけが上り下り共用の終止点として設定され、その共用終止点には終止点用踏切制御子が設置される。例えば上り終止点ＤＤＣが選択されて、それが踏切８と下り始動点ＡＤＣとの間に設定された場合（図６（ｂ）の場合）、そこに終止点用踏切制御子２４が設置され、下り終止点ＢＤＣは設定されないので、終止点用踏切制御子２２は設置されない。このように、踏切８に近い終止点については共用化を図ることで、設備費の過大化が抑制される。
【０００６】
そのため（図６（ｃ）参照）、単線区間の踏切８に係る踏切保安装置は、同じ線路１０の下り始動点ＡＤＣ，共用終止点ＤＤＣ，上り始動点ＣＤＣそれぞれに設置された始動点用踏切制御子２１，始動点用踏切制御子２３，終止点用踏切制御子２４と、それらの踏切制御子２１，２３，２４から列車検知結果を入力しそれに基づく論理判定にて列車の踏切への接近および通過と列車運転方向とを認知する踏切制御装置３１と、音響にて警報を発するためのスピーカと、せん光にて警報を発するための警報灯３２と、第１種の踏切では踏切遮断機３３とを具えている。なお、その他、故障表示器や、複線など跨線数が複数の踏切には列車方向指示器なども、設けられているが、その説明は割愛する。
【０００７】
そして、下り列車が下り始動点ＡＤＣと共用終止点ＤＤＣとの間に在線しているときには下りＳＲリレー（下りの列車運転方向指示）が無励磁となるが、それ以外のときには下りＳＲリレーが励磁される。また、上り列車が上り始動点ＣＤＣと共用終止点ＤＤＣとの間に在線しているときには上りＳＲリレー（上りの列車運転方向指示）が無励磁となるが、それ以外のときには上りＳＲリレーが励磁される。そのような列車運転方向の判別結果として方向別に出力される下りＳＲと上りＳＲが組み合わせられて、最終の警報出力となる警報Ｒリレー回路が構成されている。そして、この警報Ｒリレーの条件により、警報音制御器、警報灯制御器（断続リレー）、踏切遮断機制御リレーと呼ばれる機器が駆動され、それらの出力がそれぞれ警報音のスピーカ、警報灯３２、踏切遮断機３３に送出されて、音や光で警報が発せられるとともに、遮断桿で道路交通が遮断される。
【０００８】
ここで（図６（ｄ），（ｅ）参照）、踏切制御子について詳述すると、故障時のフェールセーフのため、下り始動点ＡＤＣや上り始動点ＣＤＣに設置される始動点用踏切制御子２１，２３には閉電路形の踏切制御子が用いられ（図６（ｄ）参照）、下り終止点ＢＤＣや上り終止点ＤＤＣに設置される終止点用踏切制御子２２，２４には開電路形の踏切制御子が用いられる（図６（ｅ）参照）。そのうち、閉電路形踏切制御子２１，２３は（図６（ｄ）参照）、線路１０を成す一対のレール１１，１２それぞれに一端を溶接等で取り付けられた接続線の対を二対使用するものであり、線路１０における接続線取付箇所の取付間隔は約１５ｍほどになっている。そして、その接続線取付箇所の間のレール１１，１２を介して常に閉電路が構成されており、列車の非在線時には照査用発振信号が閉電路に一巡伝送されて踏切制御子の出力用の始動Ｒリレーが励磁されるのに対し、列車が約３０ｍ程の列車検知長の区間に存在すると、列車の車軸でレール１１，１２が短絡されるために、照査用発振信号の伝送が断たれて、始動Ｒリレーが無励磁となる。
【０００９】
一方、開電路形踏切制御子２２，２４は（図６（ｅ）参照）、線路１０を成す一対のレール１１，１２それぞれに一端を溶接等で取り付けられた接続線を一対だけ使用するものであり、その接続線に照査用発振信号を常に送出するようになっているが、レール１１，１２の間が繋がっていないので常態では開電路が構成されているにとどまるため、その開電路に照査用発振信号が送出されていても、列車の非在線時には照査用発振信号の伝送がレール１１，１２の間で断たれて、踏切制御子の出力用の終止Ｒリレー（出力リレー）が無励磁となっている。そして、列車が約３０ｍ程の列車検知長の区間に進入して存在すると、列車の車軸でレール１１，１２が短絡されるために、開電路が一時的に閉電路となって、照査用発振信号が一巡伝送され、終止Ｒリレー（出力リレー）が励磁される。
【００１０】
このような開電路形の終止点用踏切制御子２２，２４は（図７参照）、内部に、照査用発振信号の接続線への送出を試行して照査用発振信号の一巡伝送の状態を検出する発振有無検出部２５と、照査用発振信号の一巡伝送が検出されたときには終止Ｒリレーを励磁するが照査用発振信号の一巡伝送が検出されないときには終止Ｒリレーを励磁しないリレー駆動部２６とを具えている。発振有無検出部２５には、接続線を発振回路の発振ループの一部とする発振式のものと（図７（ａ）参照）、照査用発振信号を送信部で生成し接続線で伝送させ受信部で検出する送受信式のＨ形と（図７（ｂ）参照）、２タイプが実用化されているが、後ほど説明する本発明においては終止点用踏切制御子の方式の違いが問題にならないので、その詳細は図示するにとどめ、ここでは終止点用踏切制御子２４を具体例にして、接続線Ａ１，Ｂ１（第１接続線）との接続状態を詳述する。
【００１１】
一対の接続線Ａ１，Ｂ１のうち一方の接続線Ａ１は一端がレール１１に溶接等で接続され他方の接続線Ｂ１は一端がレール１２に接続されて（図７参照）、その接続線取付箇所１４から何れの接続線Ａ１，Ｂ１も終止点用踏切制御子２４の方に延びていて、発振有無検出部２５に接続されている。なお、必須ではないが大抵は終止点用踏切制御子２４が踏切器具箱内に収納されているので、接続線Ａ１，Ｂ１は、何れも、発振有無検出部２５に直に接続されるのでなく、延長線を介在させて間接的に接続されている。即ち、接続線Ａ１，Ｂ１は、それぞれ、他端が配線端子盤２８の端子に接続され、そこから踏切器具箱内配線２７によって終止点用踏切制御子２４の筐体の端子まで延長され、そこから制御子内配線ＡＡ，ＢＢによって発振有無検出部２５に接続されて、発振有無検出部２５から照査用発振信号を伝達されるものとなっている。
【００１２】
また、リレー駆動部２６の終止Ｒリレーの接点はリレー信号の伝達のため踏切器具箱内配線にて踏切制御装置３１の入力ユニットに接続されている。
さらに、終止点用踏切制御子２４は、発振式であれ（図７（ａ）参照）、Ｈ形であれ（図７（ｂ）参照）、何れのタイプであっても、列車検知長を加減して規定値に合わせるために、制御子内配線ＡＡ，ＢＢにて伝送される照査用発振信号のレベルを上げ下げ（加減調整）する調整器２５ａ（第１調整部）を具備している。図示した調整器２５ａは、発振有無検出部２５に内蔵状態で配設されていて、入力レベルを手動操作にて調整するようになっているが、照査用発振信号のレベルを調整してから固定できれば、出力レベルを調整するようになっていても良く、発振有無検出部２５に添設状態で配設されていても良く、制御子内配線ＡＡ，ＢＢに介挿状態で配設されていても良い。
【００１３】
このように、単線区間の踏切８に係る現状の踏切保安装置では（図８（ａ）参照）、線路１０において踏切８の近くに共用終止点ＤＤＣが設定され更にそれより踏切８から遠くに且つ踏切８の両側に分かれて下り始動点ＡＤＣと上り始動点ＣＤＣが設定され、下り始動点ＡＤＣでは閉電路形の始動点用踏切制御子２１に至る接続線の一端が線路１０に溶接され、共用終止点ＤＤＣの接続線取付箇所１４には開電路形の終止点用踏切制御子２４に至る接続線（第１接続線Ａ１，Ｂ１）の一端が線路１０に溶接され、上り始動点ＣＤＣでは閉電路形の始動点用踏切制御子２３に至る接続線の一端が線路１０に接続される。そして、踏切制御子２１の始動Ｒリレーと踏切制御子２４の終止Ｒリレーと踏切制御子２３の始動Ｒリレーとの励磁有無状態に応じて、踏切制御装置３１が警報灯３２の動作を制御し、更に第１種の踏切では踏切制御装置３１が踏切遮断機３３の動作をも制御し、上り始動点ＣＤＣと共用終止点ＤＤＣとの間が上りの踏切制御区間となり、下り始動点ＡＤＣと共用終止点ＤＤＣとの間が下りの踏切制御区間となる。
【００１４】
すなわち、列車が上り始動点ＣＤＣの列車検知長の区間に進入し掛かってから共用終止点ＤＤＣの列車検知長の区間を進出し終えるまでは、列車が上りの踏切制御区間の中に存在するとの判別がなされ、列車運転方向が上りであることを示す上りＳＲリレーが常態の励磁から無励磁になって、警報灯３２にて警報が発せられるとともに、第１種の踏切では踏切遮断機３３にて道路交通が遮断される。また、列車が下り始動点ＡＤＣの列車検知長の区間に進入し掛かってから共用終止点ＤＤＣの列車検知長の区間を進出し終えるまでは、列車が下りの踏切制御区間の中に存在するとの判別がなされ、列車運転方向が下りであることを示す下りＳＲリレーが常態の励磁から無励磁になって、警報灯３２にて警報が発せられるとともに、第１種の踏切では踏切遮断機３３にて道路交通が遮断される。さらに、それ以外のときには、上りの踏切制御区間にも下りの踏切制御区間にも列車が在線していないとの判別がなされて、スピーカや警報灯３２から警報が発せられることがなく、第１種の踏切８では道路交通が遮断されない。
【先行技術文献】
【非特許文献】
【００１５】
【非特許文献１】鉄道技術者のための信号概論  信号シリーズ１  「鉄道信号一般」社団法人日本鉄道電気技術協会２００５年３月１８日発行、改訂版ｐ．１０７〜１１８
【非特許文献２】鉄道技術者のための電気概論  信号シリーズ８  「踏切保安装置」社団法人日本鉄道電気技術協会２００７年１０月３０日発行、４版ｐ．３５〜１２０
【発明の概要】
【発明が解決しようとする課題】
【００１６】
このように、現状では、単線区間の線路１０の踏切８に設置される踏切保安装置において、列車が踏切道を通過したことを検知し、踏切警報を停止させ更に第１種の踏切では踏切遮断機３３を上昇させるために使用する開電路形の終止点用踏切制御子は、踏切道を挟んで起点側あるいは終点側のどちら側か一方だけで左右のレール１１，１２に接続線を介して取付けられるのが一般的である。
これらの場合のうち、終止点用踏切制御子２４が踏切８の起点側に取付けられた場合は（図８（ａ）参照）、踏切８が上りの踏切制御区間に属するので、上り列車に対しては、列車速度の如何に拘わらず、上り列車が完全に踏切道を通過し終わったことを検知でき、通過し終えた時点で警報が停止し、所要の機能がその通りに発揮される。
【００１７】
一方、下り列車に対しては、踏切８が下りの踏切制御区間に属さないので、列車の速度によっては、あるいは踏切道の幅員によっては、下り列車が踏切道を通過中にも拘わらず通過したものと見做されることがあり、そうするとその時点で警報が停止するので所期の目的を果たすことができない。
列車が共用終止点ＤＤＣを通過し終えたら直ちに警報等を止めるのでなく、予め設定しておいた遅延時素だけ更に経過するのを待ってその後に警報等を止めるので、踏切８を通過する下り列車の速度が通常より多少遅い程度かそれ以上であれば、下り列車が踏切道を通過中にも拘わらず通過したものと見做されることはないのであるが、列車速度の速度があまりに遅かったり列車が踏切８で停止したようなときには、下り列車が踏切８を通過し終える前に通過したものと見做されることが起こりうる。
【００１８】
なお、終止点用踏切制御子が踏切８の終点側にだけ取付けられた場合については図示や繰り返しとなる煩雑な説明は割愛するが、この場合も上り下りが入れ替わるだけで同様の不都合が生じうる。
そして、かかる不都合を回避するには、コスト負担を無視することが許される理想的な安全重視の環境下であれば、複線用の踏切保安装置でも惜しげなく単線区間に適用することができるので、単線区間の線路１０の踏切８に踏切保安装置を設置する際、踏切道を挟んだ両側それぞれに始動点用踏切制御子と終止点用踏切制御子とを取り付ければ良い。
【００１９】
すなわち（図８（ｂ）参照）、踏切８の起点側のレール１１，１２に対しては遠くの下り始動点ＡＤＣに始動点用踏切制御子２１を接続線にて接続するとともに近くの上り終止点ＤＤＣの接続線取付箇所１４には接続線を介して終止点用踏切制御子２４を接続し、踏切８の終点側のレール１１，１２に対しては近くの下り終止点ＢＤＣの接続線取付箇所１５に接続線を介して終止点用踏切制御子２２を接続するとともに遠くの上り始動点ＣＤＣには始動点用踏切制御子２３を接続線にて接続するのである。これにより、上り始動点ＣＤＣから上り終止点ＤＤＣに至る上りの踏切制御区間に踏切８が属するばかりでなく、下りの踏切制御区間が下り始動点ＡＤＣから下り終止点ＢＤＣに至る区間に広がって、踏切８が下りの踏切制御区間にも属することとなるので、上り列車であれ、下り列車であれ、列車速度の如何に拘わらず、さらには踏切道の幅員にも拘わらず、列車が完全に踏切道を通過し終わったことを検知できて、所期の目的が達成される。
【００２０】
しかしながら、このようなコスト無視の対処策では、開電路形の終止点用踏切制御子を２つも設置しなければならず、終止点用踏切制御子についてはイニシャルコストもランニングコストも倍増する。単線区間は営業収益に乏しい所なので、コストは抑えなければならない。また、近接した範囲に複数・多数の踏切制御子が設置されるので、それらが同じ線路に送出する照査用発振信号に関して相互干渉が発生しやすくなるが、これを回避するためには列車検知用の信号すなわち照査用発振信号の周波数を変える必要がある。既に多くの信号周波数を使用しているなかで、更に周波数を増やすことは、混変調が増えるなどの不都合もある。
そこで、終止点用踏切制御子が一台しかなくても踏切の両側の終止点で列車を検知できるように改良することが、技術的な課題となる。
【課題を解決するための手段】
【００２１】
本発明の終止点用踏切制御子は（解決手段１）、このような課題を解決するために創案されたものであり、要するに、単線区間では一の踏切を上り列車と下り列車が同時に通過することが無いということに基づいて、一台の終止点用踏切制御子に時分割で二台分の機能を発揮させることにより、簡便かつ安価に、踏切の両側の終止点で列車を検知できるようになっている。
【００２２】
具体的には、鉄道の単線区間の線路に設けられた踏切の両側のうち何れか一方で前記線路に第１接続線を介して外部接続するための第１接続端子と、前記第１接続端子に接続された制御子内配線を介して照査用発振信号の送出を試行して前記照査用発振信号の一巡伝送の状態を検出する発振有無検出部と、前記照査用発振信号の一巡伝送の検出の有無に応じて選択的に出力リレーを励磁するリレー駆動部とを備えた開電路形の終止点用踏切制御子において、前記踏切の両側のうち何れか他方で前記線路に第２接続線を介して外部接続するための第２接続端子と、前記線路を走行して前記踏切に接近して来た列車の上り下りを判別する列車方向判別手段から送出された列車運転方向指示を伝える第３接続線を外部接続するための第３接続端子と、前記制御子内配線から分岐して前記第２接続端子に接続された分岐配線および前記制御子内配線に割り込む形で介挿接続されていて第１切替状態では前記照査用発振信号の送出先を前記第１接続端子に切り替えるが第２切替状態では前記照査用発振信号の送出先を前記第２接続端子に切り替える切替回路部と、前記列車運転方向指示に応じて前記切替回路部に前記第１切替状態と前記第２切替状態とのうち何れか一方の切替状態をとらせる切替制御部とを設けたことを特徴とする。
【００２３】
また、本発明の終止点用踏切制御子は（解決手段２）、上記解決手段１の終止点用踏切制御子であって、前記発振有無検出部または前記制御子内配線に配設されていて前記制御子内配線にて伝送される前記照査用発振信号のレベルを加減調整する第１調整部と、前記分岐配線に配設されていて前記分岐配線にて伝送される前記照査用発振信号のレベルを加減調整する第２調整部とを備えたことを特徴とする。
【００２４】
さらに、本発明の終止点用踏切制御子は（解決手段３）、上記解決手段２の終止点用踏切制御子であって、前記発振有無検出部から出力された前記照査用発振信号のレベルを検出するレベル検出回路と、前記列車運転方向指示の如何に拘わらず前記切替回路部に前記第１切替状態をとらせたうえで前記レベル検出回路の検出値を取得しそれを調整済みレベル値として記憶保持しておきそれから前記切替回路部に前記第２切替状態をとらせたうえで前記レベル検出回路の検出値が前記調整済みレベル値に一致するように前記第２調整部を作動させる調整制御手段とを備えたことを特徴とする。
【００２５】
また、本発明の終止点用踏切制御子は（解決手段４）、上記解決手段２の終止点用踏切制御子であって、前記列車運転方向指示の如何に拘わらず前記切替回路部に前記第１切替状態をとらせたうえで前記第１調整部を作動させて前記照査用発振信号のレベルを単調に漸増または漸減させながら前記リレー駆動部の励磁状態を監視しその励磁状態が変化したら前記第１調整部の作動を停止させる調整制御手段を備えたことを特徴とする。
そして、この終止点用踏切制御子の調整方法は（当初請求項８）、前記線路における前記第１接続線および前記第２接続線の接続部位が属する列車検知長の端のところで前記線路が列車の車軸で短絡された状態を実際に又は模擬的に現出させてから、前記調整制御手段を作動させることにより、前記第１接続線を経由する照査用発振信号と前記第２接続線を経由する照査用発振信号とのレベルを整合させる、というものである。
【００２６】
また、本発明の終止点用踏切制御子は（解決手段５）、上記解決手段２の終止点用踏切制御子であって、前記列車運転方向指示の如何に拘わらず前記切替回路部に前記第２切替状態をとらせたうえで前記第２調整部を作動させて前記照査用発振信号のレベルを単調に漸増または漸減させながら前記リレー駆動部の励磁状態を監視しその励磁状態が変化したら前記第２調整部の作動を停止させる調整制御手段を備えたことを特徴とする。
そして、この終止点用踏切制御子の調整方法は（当初請求項８）、前記線路における前記第１接続線および前記第２接続線の接続部位が属する列車検知長の端のところで前記線路が列車の車軸で短絡された状態を実際に又は模擬的に現出させてから、前記調整制御手段を作動させることにより、前記第１接続線を経由する照査用発振信号と前記第２接続線を経由する照査用発振信号とのレベルを整合させる、というものである。
【００２７】
また、本発明の終止点用踏切制御子は（解決手段６）、上記解決手段４，５の終止点用踏切制御子であって、前記発振有無検出部から出力された前記照査用発振信号のレベルを検出するレベル検出回路を備え、前記調整制御手段が、前記第１調整部および前記第２調整部のうち何れか一方について前記リレー駆動部の励磁状態の変化に基づく調整が済んだら前記レベル検出回路の検出値を取得し、それを調整済みレベル値として記憶保持しておき、それから前記列車運転方向指示の如何に拘わらず前記切替回路部に前記第１切替状態および前記第２切替状態のうち前記リレー駆動部の励磁状態の変化に基づく調整のときの切替状態と異なる切替状態をとらせたうえで前記レベル検出回路の検出値が前記調整済みレベル値に一致するように前記第１調整部および前記第２調整部のうち何れか他方を作動させるようになっていることを特徴とする。
なお、この手段には以下の二態様が含まれている。
【００２８】
すなわち、解決手段６に含まれる二態様のうち一方は、上記解決手段４の終止点用踏切制御子であって、前記発振有無検出部から出力された前記照査用発振信号のレベルを検出するレベル検出回路を備え、前記調整制御手段が、前記リレー駆動部の励磁状態の変化に基づく前記第１調整部の調整が済んだら前記レベル検出回路の検出値を取得し、それを調整済みレベル値として記憶保持しておき、それから前記列車運転方向指示の如何に拘わらず前記切替回路部に前記第２切替状態をとらせたうえで前記レベル検出回路の検出値が前記調整済みレベル値に一致するように前記第２調整部を作動させるようになっていることを特徴とする、というものである。
【００２９】
また、解決手段６に含まれる二態様のうち他方は、上記解決手段５の終止点用踏切制御子であって、前記発振有無検出部から出力された前記照査用発振信号のレベルを検出するレベル検出回路を備え、前記調整制御手段が、前記リレー駆動部の励磁状態の変化に基づく前記第２調整部の調整が済んだら前記レベル検出回路の検出値を取得し、それを調整済みレベル値として記憶保持しておき、それから前記列車運転方向指示の如何に拘わらず前記切替回路部に前記第１切替状態をとらせたうえで前記レベル検出回路の検出値が前記調整済みレベル値に一致するように前記第１調整部を作動させるようになっていることを特徴とする、というものである。
【００３０】
また、本発明の終止点用踏切制御子は（解決手段７）、上記解決手段３〜６の終止点用踏切制御子であって、前記調整制御手段が又は前記調整制御手段および前記レベル検出回路が、前記発振有無検出部と前記リレー駆動部と前記切替回路部と前記切替制御部とを内蔵している筐体とは別体の調整治具に納められていることを特徴とする。
【発明の効果】
【００３１】
このような本発明の終止点用踏切制御子にあっては（解決手段１）、始動点用踏切制御子と踏切制御装置と組み合わされて踏切保安装置を構成するが、その際、各装置が次のように接続される。すなわち、始動点用踏切制御子は、複数の閉電路形のものが前記踏切の両側に分かれて前記線路に接続される。また、本発明の終止点用踏切制御子は、前記始動点用踏切制御子のうち何れか一方と前記踏切との間で前記線路に対し前記第１接続線を介して前記第１接続端子が接続され、前記始動点用踏切制御子のうち何れか他方と前記踏切との間で前記線路に対し前記第２接続線を介して前記第２接続端子が接続されるとともに、前記踏切制御装置に組み込まれた又は別体の前記列車方向判別手段に対し前記第３接続線を介して前記第３接続端子が接続される。さらに、踏切制御装置は、前記始動点用踏切制御子での列車検知結果と本発明の終止点用踏切制御子での列車検知結果とに基づいて踏切警報を発するために、複数の前記始動点用踏切制御子および本発明の終止点用踏切制御子それぞれに対して各リレー出力を入力できるように接続される。
【００３２】
このように、二台目の終止点用踏切制御子を追加して線路等に接続するのでなく、従来の終止点用踏切制御子に代えて本発明の終止点用踏切制御子を導入し、その第１，２接続端子にて踏切の両側に接続することにより、照査用発振信号の送出先が切替回路部にて両接続先の何れかに切り替えられるようになる。しかも、その信号送出先切替を列車の上り下りに応じて行うようにもしたことにより、簡便な改良でありながらも、一台の終止点用踏切制御子が時分割で二台分の機能を発揮して踏切の両側の終止点で列車を検知することとなる。そのため、踏切が上りの踏切制御区間ばかりか下りの踏切制御区間にも属するようになって、上り列車であれ、下り列車であれ、列車速度の如何に拘わらず、列車が完全に踏切道を通過し終わったことが検知できて、所期の目的が達成される。
したがって、この発明によれば、終止点用踏切制御子が一台しかなくても踏切の両側の終止点で列車を検知できる踏切保安装置を安価に実現することができる。
【００３３】
また、本発明の終止点用踏切制御子にあっては（解決手段２）、従来から設けられていた発振有無検出部や制御子内配線に係る第１調整部に加えて、或いは制御子内配線に新たな第１調整部を設けたことに加えて、新設の分岐配線に係る第２調整部も設けたことにより、制御子内配線等に係る照査用発振信号のレベル調整と、分岐配線に係る照査用発振信号のレベル調整とを、分けて行うことができる。
そのため、第１接続線と第２接続線とで長さが相違し、それに起因して切替回路部の切替状態によってインピーダンス特にインダクタンスが異なることになった場合でも、第１，第２調整部をそれぞれ操作することで簡便に且つ切替状態毎に照査用発振信号の発振状態を調整することができる。
【００３４】
これにより、何れの切替状態であっても列車検知条件を終止点用踏切制御子の規格値等に対して的確に整合させることができる。
しかも、第１，第２調整部の操作の前提となる切替回路部の切替状態の選択が、終止点用踏切制御子の筐体に予め設けられている第３接続端子を介して列車運転方向指示の模擬信号を与える等のことで、簡便に行える。
したがって、この発明によれば、終止点用踏切制御子が一台しかなくても踏切の両側の終止点で列車を検知することができるうえ、調整まで簡便に済ませることができる。
【００３５】
さらに、本発明の終止点用踏切制御子にあっては（解決手段３）、調整に際し、発振有無検出部や制御子内配線に係る第１調整部を例えば従来の遣り方の手動方式で操作して、制御子内配線等に係る照査用発振信号のレベル調整を済ませると、それによって適切な状態になった照査用発振信号のレベルがレベル検出回路によって検出される。そして、調整制御手段を作動させると、適切な信号レベルの検出値が調整済みレベル値として記憶保持され、それから、切替回路部の状態が第１切替状態から第２切替状態に切り替わるとともに、第２調整部が作動して、レベル検出回路の検出値が調整済みレベル値に一致する。これにより、第２調整部が自動調整されて、分岐配線に係る照査用発振信号のレベルが、制御子内配線等に係る照査用発振信号のレベルと同じく適切な状態になる。
したがって、この発明によれば、終止点用踏切制御子が一台しかなくても踏切の両側の終止点で列車を検知することができるうえ、調整がより簡便になる。
【００３６】
また、本発明の終止点用踏切制御子およびその調整方法にあっては（解決手段４，５）、列車検知長の端のところで線路が列車の車軸で短絡された状態を実際に又は模擬的に現出させたうえで調整が行われるが、その際、切替回路部の状態が調整対象側に切り替えられるとともに調整対象の調整部が作動して照査用発振信号のレベルが単調に漸増または漸減し、その単調変化の途中でリレー駆動部の励磁状態が変化するとその時点で調整対象の調整部が作動を停止する。これにより、調整対象の調整部の調整が自動で行われる。
したがって、この発明によれば、終止点用踏切制御子が一台しかなくても踏切の両側の終止点で列車を検知することができるうえ、調整がより簡便になる。
【００３７】
また、本発明の終止点用踏切制御子にあっては（解決手段６）、第１，第２調整部のうち何れか一方については上記解決手段４，５に準じて自動調整することができ、第１，第２調整部のうち何れか他方については上記解決手段３に準じて自動調整することができるので、調整がより一層簡便になる。
【００３８】
また、本発明の終止点用踏切制御子にあっては（解決手段７）、調整時に作動すれば足りる調整制御手段等が、常時作動する発振有無検出部等を内蔵した筐体から分離され、別体の調整治具に納められているため、他の終止点用踏切制御子と共用することもできるので、自動調整機能を導入しても、コストアップを回避することができる。
【図面の簡単な説明】
【００３９】
【図１】本発明の実施例１について、接続線切替機能付き終止点用踏切制御子とそれを導入した踏切保安装置の構造を示し、（ａ）が踏切保安装置の概要構成図、（ｂ）が終止点用踏切制御子の回路図である。
【図２】（ａ）が終止点用踏切制御子の調整状況を示す概略図、（ｂ）が上り列車到来時の踏切保安装置および終止点用踏切制御子の動作状態を示す概略図、（ｃ）が下り列車到来時の踏切保安装置および終止点用踏切制御子の動作状態を示す概略図である。
【図３】本発明の実施例２について、（ａ）が終止点用踏切制御子の回路図、（ｂ）が終止点用踏切制御子の調整状況図である。
【図４】本発明の実施例３について、（ａ）が終止点用踏切制御子の回路図、（ｂ）が終止点用踏切制御子の調整状況図である。
【図５】本発明の実施例４について、（ａ）が終止点用踏切制御子の回路図、（ｂ）が終止点用踏切制御子の調整状況図である。
【図６】従来の踏切保安装置を示し、（ａ）が複線区間における踏切制御子の配置図、（ｂ）が単線区間における踏切制御子の配置図、（ｃ）が単線用の踏切保安装置のブロック図、（ｄ）が閉電路形の始動点用踏切制御子の接続図、（ｅ）が開電路形の終止点用踏切制御子の接続図である。
【図７】現行の終止点用踏切制御子を示し、（ａ）が発振式のもののブロック図、（ｂ）が送受信式のＨ形のブロック図である。
【図８】（ａ）が従来の単線用踏切保安装置の概要構成図、（ｂ）が理想の単線用踏切保安装置の概要構成図である。
【発明を実施するための形態】
【００４０】
このような本発明の終止点用踏切制御子について、これを実施するための具体的な形態を、以下の実施例１〜３により説明する。
図１〜２に示した実施例１は、上述した解決手段１〜２（出願当初の請求項１〜２）を具現化したものであり、図３に示した実施例２は、上述した解決手段３（出願当初の請求項３）を具現化したものであり、図４に示した実施例３は、上述した解決手段４，５，７（出願当初の請求項４，５，７）を具現化したものであり、図５に示した実施例４は、上述した解決手段６，７（出願当初の請求項６，７）を具現化したものである。
【００４１】
なお、それらの図示に際しては、簡明化等のため、筐体やネジ等の機械的部材や，電気回路・電子回路の回路素子などについては詳細な図示を割愛し、発明の説明に必要なものや関連するものを中心に記号で図示した。
また、それらの図示に際し従来と同様の構成要素には同一の符号を付して示したが、それらについて背景技術の欄で述べたことは以下の実施例についても共通するので、重複する再度の説明は割愛し、以下、従来との相違点を中心に説明する。
【実施例１】
【００４２】
本発明の終止点用踏切制御子の実施例１について、その具体的な構成を、図面を引用して説明する。図１は、（ａ）が接続線切替機能付き終止点用踏切制御子５０を組み込んだ踏切保安装置４０の概要構成図、（ｂ）が終止点用踏切制御子５０の回路図である。
【００４３】
この踏切保安装置４０は、鉄道の単線区間の線路１０に設けられた踏切８に係る踏切警報を行うために設けられたものであり、踏切８の起点側の下り始動点ＡＤＣの所で線路１０に接続線を介して接続された閉電路形の始動点用踏切制御子２１と、踏切８の終点側の上り始動点ＣＤＣの所で線路１０に接続線を介して接続された閉電路形の始動点用踏切制御子２３と、始動点用踏切制御子２１の接続先の下り始動点ＡＤＣと踏切８との間に設定された上り終止点ＤＤＣの所で線路１０の接続線取付箇所１４に溶接にて一端部を接続された第１接続線Ａ１，Ｂ１と、始動点用踏切制御子２３の接続先の上り始動点ＣＤＣと踏切８との間に設定された下り終止点ＢＤＣの所で線路１０の接続線取付箇所１５に溶接にて一端部を接続された第２接続線Ａ２，Ｂ２とを備えている。
【００４４】
また、踏切保安装置４０は、線路１０に接続線を介して接続されると線路１０の接続線取付箇所に係る列車検知を行う開電路形の終止点用踏切制御子５０と、始動点用踏切制御子２１での列車検知結果を示す始動Ｒリレーの出力と始動点用踏切制御子２３での列車検知結果を示す始動Ｒリレーの出力と終止点用踏切制御子５０での列車検知結果を示す終止Ｒリレーの出力とを入力してそれらに基づき踏切警報制御を行って列車運転方向を判別するとともに列車運転方向に応じて上りＳＲリレーで上りＳＲを出力したり下りＳＲリレーで下りＳＲを出力する単線用の踏切制御装置３１と、それらを組み合わせた結果である警報Ｒリレーの出力に応動するスピーカや，警報灯３２，踏切遮断機３３と、図示しない電源装置も備えている。
【００４５】
このような踏切保安装置４０は、既述した現状の単線区間の踏切保安装置（図８（ａ）参照）において、既述の終止点用踏切制御子２４（図７参照）に代えて新たな終止点用踏切制御子５０を導入したうえで（図１（ａ）参照）、終止点用踏切制御子５０から線路１０へ照査用発振信号を送出するための接続として、既述した踏切器具箱内配線２７と第１接続線Ａ１，Ｂ１とによる終止点用踏切制御子５０から線路１０の上り終止点ＤＤＣの接続線取付箇所１４に至る接続を維持するとともに、新たな踏切器具箱内配線４２と第２接続線Ａ２，Ｂ２とによる終止点用踏切制御子５０から線路１０の下り終止点ＢＤＣの接続線取付箇所１５に至る接続を追加したものとなっている（図１（ｂ）参照）。さらに、踏切制御装置３１から警報Ｒと下りＳＲを取り込むための踏切器具箱内配線４３も追加されている。これらのうち、第２接続線Ａ２，Ｂ２と終止点用踏切制御子５０とそれに係る踏切器具箱内配線４２，４３は未だ説明していないが、それ以外のものは既に詳述したので、ここでは未説明のものを詳述する。
【００４６】
第２接続線Ａ２，Ｂ２は、基本的には既存の第１接続線Ａ１，Ｂ１と同様の絶縁被覆電線で良いが、終止点用踏切制御子２４の収容されていた踏切器具箱内に終止点用踏切制御子５０を収納しようとすると第１接続線Ａ１，Ｂ１よりも長くなりがちで、例えば第１接続線Ａ１，Ｂ１が好ましいとされる１５ｍ以下になっていると、必要な列車検知長を確保するには第２接続線Ａ２，Ｂ２が７０〜１００ｍほどになって、第２接続線Ａ２，Ｂ２のインダクタンスが増加することから、第２接続線Ａ２，Ｂ２の方にはコンデンサを直列に介挿接続して増加インダクタンスの影響を相殺することにより、第１接続線Ａ１，Ｂ１と第２接続線Ａ２，Ｂ２のインピーダンス特性をなるべく近づけておくのが望ましい。
【００４７】
具体的には、後で詳述するが、厳しい外部環境に曝される第２接続線Ａ２，Ｂ２に対して直にコンデンサが接続される訳でなく、踏切器具箱内の終止点用踏切制御子５０の筐体の中に可変容量部５７（第２調整部）が設けられている（図１（ｂ）参照）。長さが極端に異なる第１接続線Ａ１，Ｂ１と第２接続線Ａ２，Ｂ２に対して、調整器２５ａ（第１調整部）のみで照査用発振信号のレベルを調整する構成では、長い接続線に対する出力を１桁ほど増大させる必要があり、現実的ではない。例えば、第１接続線Ａ１，Ｂ１が好ましいとされる１５ｍ以下になっているのに対し、必要な列車検知長を確保するために第２接続線Ａ２，Ｂ２が１００ｍほどになったとすると、照査用発振信号のレベルが、第１接続線については１０Ｗで済むのに対し、第２接続線については１００Ｗほどになる。
【００４８】
終止点用踏切制御子５０は（図１（ｂ）参照）、例えば金属製箱体からなる筐体にて一ユニットに纏められており、その筐体の内外を貫く第１接続端子５１と第２接続端子５２と第３接続端子５３と接続端子５８と、上記筐体に内蔵されている発振有無検出部２５とリレー駆動部２６と制御子内配線ＡＡ，ＢＢと分岐配線ａａ，ｂｂと切替制御部５５と切替回路部５６と可変容量部５７とを具えている。それらのうち、発振有無検出部２５とリレー駆動部２６と制御子内配線ＡＡ，ＢＢは、既述した終止点用踏切制御子２４のものがそのまま引き継がれている。
【００４９】
発振有無検出部２５に調整器２５ａ（第１調整部）が設けられていることも、照査用発振信号を伝送する制御子内配線ＡＡ，ＢＢが一端を発振有無検出部２５に接続され他端を第１接続端子５１に接続されていることも、リレー駆動部２６の終止Ｒリレーの接点が接続端子５８までの制御子内配線および接続端子５８からの踏切器具箱内配線にて踏切制御装置３１の入力ユニットに接続されていることも、終止点用踏切制御子２４から終止点用踏切制御子５０にそのまま引き継がれている。
【００５０】
第１接続端子５１は、踏切８と下り始動点ＡＤＣとの間に設定された上り終止点ＤＤＣのところで線路１０に第１接続線Ａ１，Ｂ１を介して外部接続するための接続端子であり、具体的には踏切器具箱内配線２７と配線端子盤２８の端子とを介して第１接続線Ａ１，Ｂ１の他端が接続されるようになっている。
第２接続端子５２は、踏切８と上り始動点ＣＤＣとの間に設定された下り終止点ＢＤＣのところで線路１０に第２接続線Ａ２，Ｂ２を介して外部接続するための接続端子であり、具体的には踏切器具箱内配線２７でなく他の踏切器具箱内配線４２と配線端子盤２８の他の端子とを介して第２接続線Ａ２，Ｂ２の他端が接続されるようになっている。
【００５１】
第３接続端子５３は、列車運転方向指示を伝える第３接続線を外部接続するための接続端子であり、線路１０を走行して踏切８に接近して来た列車の上り下りを判別する列車方向判別手段として既述の踏切制御装置３１を活用するとともに踏切制御装置３１の出力する警報Ｒ及び下りＳＲを列車運転方向指示として活用するために、踏切制御装置３１の警報Ｒリレー及び下りＳＲリレーの出力線の分岐線か又は予備の出力線からなる踏切器具箱内配線４３が第３接続線として接続されるようになっている。
これらの接続端子５１〜５３は、例えばネジ止めやロック付きピンジャック等にて、接続確立後は長期に亘って安定な接続状態が維持されるようになっている。
【００５２】
切替制御部５５は、例えば下り終止Ｒリレーを主体としたリレー回路で具現化されており、踏切制御装置３１から入力する既述の下りＳＲリレー及び警報Ｒリレーの接点とで構成されている。そして、切替制御部５５の主体の下り終止Ｒリレーは、上り列車と下り列車が何れもそれぞれの踏切警報区間に在線していないとき、及び上り列車が上りの踏切警報区間に在線しているときには、無励磁(落下)状態であり、下り列車が下りの踏切警報区間に進入したときに踏切制御装置３１からの下りＳＲリレー及び警報Ｒリレーの無励磁（落下）接点が構成することにより励磁（動作）状態となる。下り列車が下りの踏切制御区間を進出した時点で警報Ｒが励磁(動作)状態となることにより、回路が絶たれ下り終止Ｒリレーが無励磁（落下）状態となる。
【００５３】
なお、詳細は割愛するが、踏切制御装置３１が電子踏切制御装置の場合と、踏切制御論理をリレーロジックで構成した場合とでは、下りＳＲリレーが励磁（動作）するタイミングが異なり、電子踏切装置の場合には下り終止Ｒリレーを用いた回路は必須ではなく、下りＳＲリレーの出力を入力して直ちに又は必要であれば信号波形整形等を行ってからそれを切替回路部５６の制御に供することで切替制御部５５の機能が実現されるが、電子踏切制御装置の場合と、踏切制御論理をリレーロジックで構成した場合の両方に対応できるようにするために、ここでは下り終止Ｒリレーを用いた回路を標準として設けた。なお、下りＳＲリレーは既述したように列車運転方向が下りの場合に踏切制御装置３１から無励磁（落下）に出力されるリレーで、下り終止Ｒリレーは次に述べるように切替回路部５６の切替状態を規定するものなので、切替制御部５５は、踏切制御装置３１の列車運転方向指示に応じて切替回路部５６に第１切替状態と第２切替状態とのうち何れか一方の切替状態を択一的にとらせるものとなっている。
【００５４】
切替回路部５６は、これも切替制御部５５と同様にリレー回路で具現化されていて、発振有無検出部２５と第１接続端子５１とを接続する上述の制御子内配線ＡＡ，ＢＢと、制御子内配線ＡＡ，ＢＢから分岐して第２接続端子５２に接続された分岐配線ａａ，ｂｂと、制御子内配線ＡＡ，ＢＢのうち分岐配線ａａ，ｂｂの分岐点より第１接続端子５１に寄っている部分の配線に介挿して直列接続された下り終止Ｒリレーの無励磁（落下）接点と、分岐配線ａａ，ｂｂに介挿して直列接続された下り終止Ｒリレーの励磁（動作）接点と、後者の分岐配線ａａ，ｂｂに介挿して直列接続された可変容量部５７（第２調整部）とを具えている。この例では可変容量部５７が分岐配線ａａにだけ接続されている。
【００５５】
可変容量部５７（第２調整部）は、分岐配線ａａ，ｂｂの接続先の第２接続線Ａ２，Ｂ２が長くなってそのインダクタンスが増加したことによる影響を相殺することができれば、単一のバリアブルコンデンサでも良く、複数のコンデンサの組み合わせ回路からなるものでも良いが、コンデンサの開放故障時のインピーダンスの変化を最小限に抑えるには、複数のコンデンサを並列に接続して回路を構成することが、稼動性の維持・向上につながる。更に並列接続の場合、例えば固定容量のコンデンサと可変容量のコンデンサとを接続して大容量の確保と容量値の安定と可変範囲の適度な限定とを図るのも良い。
【００５６】
そして、このような切替回路部５６は、下り終止Ｒリレーが励磁されていない第１切替状態では、発振有無検出部２５の照査用発振信号の出力端子と第１接続端子５１とを接続して、その先の第１接続線Ａ１，Ｂ１及び上り終止点ＤＤＣの接続線取付箇所１４へ照査用発振信号を送出させる一方、発振有無検出部２５の照査用発振信号の出力端子と第２接続端子５２とを切断して、その先の第２接続線Ａ２，Ｂ２及び下り終止点ＢＤＣの接続線取付箇所１５へは照査用発振信号を送出させないようになっている。
【００５７】
また、切替回路部５６は、下り終止Ｒリレーが励磁されている第２切替状態では、発振有無検出部２５の照査用発振信号の出力端子と第１接続端子５１とを切断して、その先の第１接続線Ａ１，Ｂ１及び上り終止点ＤＤＣの接続線取付箇所１４へは照査用発振信号を送出させない一方、発振有無検出部２５の照査用発振信号の出力端子と第２接続端子５２とを接続して、その先の第２接続線Ａ２，Ｂ２及び下り終止点ＢＤＣの接続線取付箇所１５へ照査用発振信号を送出させるようになっている。
【００５８】
そのため、第１接続線Ａ１，Ｂ１を介して上り終止点ＤＤＣで線路１０に接続されるとともに第２接続線Ａ２，Ｂ２を介して下り終止点ＢＤＣで線路１０に接続された終止点用踏切制御子５０は、列車運転方向指示に応じた切替回路部５６の切替状態に依存して第１接続線Ａ１，Ｂ１と第２接続線Ａ２，Ｂ２とのうち何れか一方に対して択一的に接続が確立され延いては上り終止点ＤＤＣの接続線取付箇所１４と下り終止点ＢＤＣの接続線取付箇所１５とのうち何れか一方の所で線路１０に対して照査用発振信号が送出されるようになっている。そして、このような接続線切替機能の付いた終止点用踏切制御子５０は、上り列車到来時の第１切替状態では下り終止点ＢＤＣでの列車検知を行わないで上り終止点ＤＤＣで列車検知を行い、下り列車到来時の第２切替状態では上り終止点ＤＤＣでの列車検知を行わないで下り終止点ＢＤＣで列車検知を行うものとなっている。
【００５９】
この実施例１の終止点用踏切制御子５０を組み込んだ踏切保安装置４０の設置手順を、図面を引用して説明する。図１は、（ａ）が踏切保安装置４０の配線接続状態を示し、（ｂ）が終止点用踏切制御子５０の配線接続状態を示している。
終止点用踏切制御子５０だけでなくそれを含む踏切保安装置４０を総て新設する場合や更新する場合は、構成について上述した通りに、各機器を設置して、機器間接続を行うとともに、各機器と線路１０との接続も行う。
【００６０】
これに対し、既存の踏切保安装置（図８（ａ）参照）について終止点用踏切制御子２４（図７参照）を終止点用踏切制御子５０（図１参照）で置き換える一部更新によって踏切保安装置４０（図１（ａ）参照）を実現する場合は、上り終止点ＤＤＣで線路１０に一端部が接続されている踏切器具箱内配線２７の他端部を終止点用踏切制御子２４から外して終止点用踏切制御子５０の第１接続端子５１に接続し直すとともに、一端部が踏切制御装置３１に繋がっている終止Ｒ信号出力線の他端部を終止点用踏切制御子２４から外して終止点用踏切制御子５０の接続端子５８に接続し直す。これにより、先ずは、終止点用踏切制御子５０が終止点用踏切制御子２４の役目を代行できるようになる。
【００６１】
また、踏切保安装置が既に設置されている線路１０に対し、第２接続線Ａ２，Ｂ２の一端部を溶接にて接続する（図１（ａ）参照）。線路１０における第２接続線Ａ２，Ｂ２の接続線取付箇所１５は、始動点用踏切制御子２３の接続先の上り始動点ＣＤＣと踏切８との間であって、仮に終止点用踏切制御子２２が設置されるとすればその接続先となる下り終止点ＢＤＣの設定箇所である（図８（ｂ）参照）。第２接続線Ａ２，Ｂ２の他端部は、踏切器具箱の配線端子盤２８の空き端子に接続し（図１（ｂ）参照）、更にその端子と踏切制御切替装置５０の接続端子５２とを踏切器具箱内配線４２にて接続する。
【００６２】
これにより、終止点用踏切制御子５０が第２接続線Ａ２，Ｂ２を介して下り終止点ＢＤＣの所で線路１０に接続されるので、終止点用踏切制御子５０が終止点用踏切制御子２２の役目まで果たせるようになる。
さらに、両制御子２２，２４の役目を同時には果たせないので双方の役目を適切な時分割にて果たすために、踏切制御装置３１の警報Ｒリレー及び下りＳＲリレー（下りの列車運転方向指示）を伝送する踏切器具箱内配線４３（第３接続線）を第３接続端子５３に接続する。これで、接続が完了するので、踏切制御切替装置５０は踏切器具箱内に格納する。
【００６３】
なお、第２接続線Ａ２，Ｂ２の接続作業や踏切器具箱内配線４２の接続作業は、踏切保安装置の動作を阻害しないので、列車運行の停止後に行えるのはもちろんのこと、列車運行の合間を縫って行うことも可能である。同時並行的に行っても良く、逆順で行っても良い。これに対し、終止点用踏切制御子２４を外す作業や、それに接続されていた配線を終止点用踏切制御子５０に接続し直す作業は、踏切保安装置の動作に影響するので、夜間など列車運行の停止を確認してから行う。また、終止点用踏切制御子２４から終止点用踏切制御子５０への配線接続変更作業と、第２接続線Ａ２，Ｂ２及び踏切器具箱内配線４２の配線接続追加作業についても、同時並行的に行っても良く、逆順で行っても良い。さらに、接続端子５３への踏切器具箱内配線４３の接続は後述の調整後まで遅らせても良い。
【００６４】
この実施例１の終止点用踏切制御子５０及びそれを組み込んだ踏切保安装置４０について、その使用態様及び動作を、図面を引用して説明する。
図２は、（ａ）が踏切保安装置４０に組み込んだ終止点用踏切制御子５０の調整状況を示す概略図、（ｂ）が上り列車到来時の踏切保安装置４０および終止点用踏切制御子５０の動作状態を示す概略図、（ｃ）が下り列車到来時の踏切保安装置４０および終止点用踏切制御子５０の動作状態を示す概略図である。
【００６５】
本格運用に先立って列車検知長の調整を行う必要があるが、終止点用踏切制御子５０以外は従来装置なので従来通り行えば良い。終止点用踏切制御子５０については（図２（ａ）参照）、終止点用踏切制御子５０の筐体の接続端子５１〜５３のうち踏切制御装置３１に対する接続端子５３に模擬装置を仮接続し、この模擬装置を操作することで、接続端子５３を介して終止点用踏切制御子５０の切替制御部５５に列車運転方向指示の模擬信号を与える。模擬装置は、警報Ｒの模擬信号を出すリレーと、下りＳＲの模擬信号を出すリレーと、それらのリレーの励磁状態を切り替える手動スイッチとを具えた簡便な調整治具で足りる。そして、それで、切替回路部５６の切替状態を選択しながら終止点用踏切制御子５０による列車検知の動作状態を調整する。
【００６６】
具体的には、先に第１切替状態を選択して発振有無検出部２５を制御子内配線ＡＡ，ＢＢ経由で接続線Ａ１，Ｂ１に接続させ、この状態を維持しておいて、線路１０の接続線取付箇所１４の所でレール１１，１２を車軸模擬部材にて短絡させて開電路を一時的に閉じさせたり車軸模擬部材を外して開電路を開状態に戻したりしながら、上り終止点ＤＤＣで列車検知長が所要の約３０ｍになっていることを確認する。第１接続線Ａ１，Ｂ１が既に接続されていた上り終止点ＤＤＣでの列車検知長は、終止点用踏切制御子５０を導入してもほとんど変化しないが、それでも調整したいときには、発振有無検出部２５に内蔵されている調整器２５ａを利用して既存設備の調整と同様の操作を行って、照査用発振信号の振幅レベルを加減して、上り終止点ＤＤＣでの列車検知長を調整する。
【００６７】
次に、再び模擬装置を操作して第２切替状態を選択させて発振有無検出部２５を制御子内配線ＡＡ，ＢＢ及び分岐配線ａａ，ｂｂ経由で第２接続線Ａ２，Ｂ２に接続させ、この状態を維持しておいて、線路１０の接続線取付箇所１５の所でレール１１，１２を車軸模擬部材にて短絡させて開電路を一時的に閉じさせたり車軸模擬部材を外して開電路を開状態に戻したりしながら、可変容量部５７を操作してその容量を変えることで、照査用発振信号の振幅レベルを加減して、下り終止点ＢＤＣで列車検知長が所要の約３０ｍになるようにする。こうして調整が済んだら、終止点用踏切制御子５０から模擬装置を取り外し、その後は（図１参照）、踏切制御装置３１の警報Ｒリレー及び下りＳＲリレーの出力を踏切器具箱内配線４３にて終止点用踏切制御子５０の接続端子５３に接続する。
【００６８】
終止点用踏切制御子５０及び踏切保安装置４０の調整が済んで列車運行が始まり、踏切保安装置４０の設置された線路１０を上り列車が終点側から踏切８に向かって走行して来て上り始動点ＣＤＣの列車検知長の区間に進入すると（図２（ｂ）参照）、始動点用踏切制御子２３が上り列車を検知して、始動点用踏切制御子２３の始動Ｒリレーが無励磁になる。線路１０が単線なので上り列車と同時には下り列車が来ないため、この時点では始動点用踏切制御子２１も終止点用踏切制御子５０も列車を検知せず、始動点用踏切制御子２１の始動Ｒリレーは励磁状態を維持し、終止点用踏切制御子５０の終止Ｒリレーは無励磁状態を維持する。
【００６９】
そして、踏切制御装置３１では、それらのリレー状態に基づいて上り列車到来の判定が出され、それに応じて上りＳＲリレーと警報Ｒリレーが無励磁になる。一方、下りＳＲリレーは励磁状態を維持する。この状態では、終止点用踏切制御子５０の切替制御部５５及び切替回路部５６が第１切替状態のままなので、終止点用踏切制御子５０の発振有無検出部２５は、制御子内配線ＡＡ，ＢＢと第１接続線Ａ１，Ｂ１とを介して接続線取付箇所１４に接続されている。この状態が維持されるので、上りの踏切制御区間は、上り始動点ＣＤＣから上り終止点ＤＤＣまでを占め、踏切８を区間内に収めたものとなる。
【００７０】
また（図２（ｃ）参照）、踏切保安装置４０の設置された線路１０を下り列車が起点側から踏切８に向かって走行して来て下り始動点ＡＤＣの列車検知長の区間に進入すると、始動点用踏切制御子２１が下り列車を検知して、始動点用踏切制御子２１の始動Ｒリレーが無励磁になる。線路１０が単線なので下り列車と同時には上り列車が来ないため、この時点では始動点用踏切制御子２３も終止点用踏切制御子５０も列車を検知せず、始動点用踏切制御子２３の始動Ｒリレーは励磁状態を維持し、終止点用踏切制御子５０の終止Ｒリレーは無励磁状態を維持する。そして、踏切制御装置３１では、それらのリレー状態に基づいて下り列車到来の判定が出され、それに応じて下りＳＲリレーと警報Ｒリレーが無励磁とされる。
【００７１】
すると、それに応動して終止点用踏切制御子５０の切替制御部５５及び切替回路部５６が第２切替状態になるため、終止点用踏切制御子５０の発振有無検出部２５は、上り終止点ＤＤＣの接続線取付箇所１４から切り離されて、制御子内配線ＡＡ，ＢＢの一部と分岐配線ａａ，ｂｂと第２接続線Ａ２，Ｂ２とを介して接続線取付箇所１５に接続される。接続線取付箇所１５が線路１０のうち下り終止点ＢＤＣの所になっているうえ、そこを下り列車が通過し終えて踏切制御装置３１が警報Ｒリレーを励磁するまで終止点用踏切制御子５０が第２切替状態を維持するため、下りの踏切制御区間は、下り始動点ＡＤＣから下り終止点ＢＤＣまでを占め、やはり踏切８を区間内に収めたものとなる。
【００７２】
このように、終止点用踏切制御子５０を組み込んだ踏切保安装置４０にあっては、上りの踏切制御区間ばかりか下りの踏切制御区間にも踏切８が属することから、既述した理想状態（図８（ｂ）参照）と同様、上り列車であれ、下り列車であれ、列車速度の如何に拘わらず、列車が完全に踏切道を通過し終わったことを検知できるので、所期の目的が達成される。しかも、既述した理想構成（図８（ｂ）参照）では終止点用に二台の踏切制御子２２，２４を設置するのに対し、終止点用踏切制御子５０を採用した踏切保安装置４０では、終止点用踏切制御子５０を一台だけ設置すれば良い。新規な切替制御部５５及び切替回路部５６は、終止点用踏切制御子２２，２４の何れより簡素で安価なものである。
【実施例２】
【００７３】
本発明の終止点用踏切制御子の実施例２について、その具体的な構成を、図面を引用して説明する。図３は、（ａ）が終止点用踏切制御子６０の回路図、（ｂ）が終止点用踏切制御子６０の調整状況を示す図である。
【００７４】
この終止点用踏切制御子６０が上述した実施例１の終止点用踏切制御子５０と相違するのは、第２接続線Ａ２，Ｂ２の接続線取付箇所１５（線路１０に設定された下り終止点ＢＤＣ）の列車検知長に係る可変容量部５７（第２調整部）での調整を自動化する手段６１〜６６が追加されている点である。
すなわち、筐体に操作ピン挿通用の小孔６１が貫通形成され、その直ぐ内側で操作ピンの届くところにスイッチ６２が配設され、スイッチ６２が操作されると自動調整を実行する自動調整回路６３〜６５と、小型モータや減速ギヤ等からなり可変容量部５７を操作してその容量を増加または減少させる容量操作部６６とが内蔵されている。
【００７５】
自動調整回路６３〜６５は、レベル検出回路６３とセレクタ６４とマイクロプロセッサ６５（ＭＰＵ，調整制御手段）とを具えている。
レベル検出回路６３は、例えば包絡線検波回路やローパスフィルタ等からなり、発振有無検出部２５から出力された照査用発振信号を制御子内配線ＡＡ，ＢＢから入力して照査用発振信号のレベルを検出し、そのレベル検出値をマイクロプロセッサ６５に送出するようになっている。
【００７６】
セレクタ６４は、２入力１出力のものであるが、第３接続端子５３と切替制御部５５とを接続する制御子内配線に割り込む形で設けられていて、各入力端子も、出力端子も、警報Ｒと下りＳＲとを伝送するために、各端子組に２ライン以上が属している。そして、二組の入力端子のうち一方の入力端子が第３接続端子５３に接続され、二組の入力端子のうち他方の入力端子がマイクロプロセッサ６５の出力端子に接続され、一組の出力端子が切替制御部５５に接続され、制御端子がマイクロプロセッサ６５（ＭＰＵ，調整制御手段）の出力端子に接続されている。
【００７７】
マイクロプロセッサ６５（ＭＰＵ，調整制御手段）は、論理演算とデータ記憶ができれば安価なもので良いので、いわゆる１チップマイコンが使い易いが、マルチチップでも良く、フェールセーフコンピュータでも良く、シーケンサやプログラマブルロジックアレイ等で代替できる場合はそうしても良い。スイッチ６２のオンオフ状態とレベル検出回路６３のレベル検出値とを入力してセレクタ６４と容量操作部６６とを制御することができるよう、各部６２，６３，６４，６６と制御子内配線にて接続されている。
【００７８】
そして、スイッチ６２が操作されない常態すなわち標準的な動作状態では（図３（ａ）参照）、セレクタ６４を標準の選択状態のままにして、踏切制御装置３１から送られてきた警報Ｒ及び下りＳＲが第３接続端子５３を介して切替制御部５５に伝達されるようにするとともに、容量操作部６６も標準の停止状態のままにして、可変容量部５７の容量値（第２調整部の調整値）が変わることなく以前の値に維持されるような制御を行う。
【００７９】
これに対し、列車検知長の調整のためにスイッチ６２が操作されると（図３（ｂ）参照）、マイクロプロセッサ６５（調整制御手段）は、先ずセレクタ６４を制御して選択状態を切り替えさせ、第３接続端子５３経由の警報Ｒ及び下りＳＲでなくマイクロプロセッサ６５の出力する模擬信号が切替制御部５５に入力されるようにし、次に模擬信号にて切替制御部５５を制御することにより警報Ｒ及び下りＳＲ（列車運転方向指示）の如何に拘わらず切替回路部５６に第１切替状態をとらせる。これにより、発振有無検出部２５から送出された照査用発振信号が制御子内配線ＡＡ，ＢＢ及び第１接続線Ａ１，Ｂ１を介して線路１０の接続線取付箇所１４に伝送される状態になるので、その状態が安定するのに十分な時間が経過した頃、マイクロプロセッサ６５は、レベル検出回路６３の検出値を取得し、それをメモリに調整済みレベル値として記憶保持しておくようになっている。
【００８０】
それから、更に、マイクロプロセッサ６５は、模擬信号にて切替制御部５５を再び制御することにより、警報Ｒ及び下りＳＲ（列車運転方向指示）の如何に拘わらず、切替回路部５６に第２切替状態をとらせる。今度は、発振有無検出部２５から送出された照査用発振信号が制御子内配線ＡＡ，ＢＢの一部と分岐配線ａａ，ｂｂと分岐配線ａａ，ｂｂとを介して線路１０の接続線取付箇所１５に伝送される状態になるので、その状態が安定するのに十分な時間が経過した頃、マイクロプロセッサ６５は、レベル検出回路６３の検出値がメモリの調整済みレベル値に一致するように容量操作部６６（第２調整部）を作動させるようになっている。
【００８１】
具体的には、可変容量部５７の容量が小さいために不一致のうちは可変容量部５７の容量が増すように容量操作部６６の動作制御を行い、可変容量部５７の容量が大きいために不一致のうちは可変容量部５７の容量が減るように容量操作部６６の動作制御を行い、レベル検出回路６３の検出値がメモリの調整済みレベル値に一致したら、容量操作部６６を停止させて可変容量部５７の容量を固定させるとともに、セレクタ６４を制御して選択状態を元の標準に戻すよう切り替えさせて、切替制御部５５が第３接続端子５３経由の警報Ｒ及び下りＳＲを入力する常態すなわち標準的な動作状態に戻すようになっている。
【００８２】
この場合、スイッチ６２が操作されない常態では、自動調整回路６３〜６５も容量操作部６６も他の回路２５，２６，５５，５６の動作に何ら影響を及ぼさないので、スイッチ６２を操作して自動調整を行うときは別として、終止点用踏切制御子６０は、上述した終止点用踏切制御子５０と同様に設置され調整され使用され動作する。スイッチ６２を操作して自動調整されるのは可変容量部５７（第２調整部）だけであり、その自動調整は、調整器２５ａ（第１調整部）の調整結果を可変容量部５７（第２調整部）に転写する如き手法で行われるので、例えば実施例１の終止点用踏切制御子５０について上述したような手動操作等にて調整器２５ａの調整が済んでから実行される。
【００８３】
調整時には上述したように車軸模擬部材１６が用いられるが、それについて付言すると、車軸模擬部材１６は約０．５Ω程度の抵抗値を示してレール１１とレール１２とを一時的に短絡するものであるが（図３（ｂ）参照）、上り終止点ＤＤＣの列車検知長を設定する調整器２５ａの調整に際しては、線路１０における第１接続線Ａ１，Ｂ１の接続線取付箇所１４の両側に位置する列車検知長の両端のうち起点側の端に設定したい所に、一個の車軸模擬部材１６が置かれる。また、下り終止点ＢＤＣの列車検知長を設定する可変容量部５７の調整に際しては、線路１０における第２接続線Ａ２，Ｂ２の接続線取付箇所１５の両側に位置する列車検知長の両端のうち終点側の端に設定したい所に、もう一個の車軸模擬部材１６が置かれる。
【００８４】
そして、上述したような手動操作等にて調整器２５ａの調整が済んで、切替回路部５６が第１切替状態になっているたときの照査用発振信号が適切なレベルになる状態が出来上がったら、後の調整は実施例１の終止点用踏切制御子５０について上述したのと異なり、手動で行うのは、小孔６１から操作ピンを挿し込んでスイッチ６２を操作することだけである。そうすると、後は可変容量部５７の調整が自動で行われる。
すなわち、先ず、セレクタ６４の選択状態が切り替わって切替制御部５５がマイクロプロセッサ６５の制御下に入り、マイクロプロセッサ６５の制御によって切替回路部５６が第１切替状態になり、その状態で調整済みの照査用発振信号のレベルがレベル検出回路６３によって検出されてからマイクロプロセッサ６５によってメモリに一時記憶される。
【００８５】
それから、マイクロプロセッサ６５の制御によって切替回路部５６が第２切替状態になり、その状態では未だ調整されていなかった照査用発振信号のレベルが、レベル検出回路６３によって検出されるとともに、マイクロプロセッサ６５に入力されて容量操作部６６による可変容量部５７の操作に供給される。これにより、切替回路部５６が第２切替状態になって、照査用発振信号が分岐配線ａａ，ｂｂ及び第２接続線Ａ２，Ｂ２を介して線路１０の接続線取付箇所１５に送出される状態でも、照査用発振信号が適切なレベルになる状態が出来上がる。これで可変容量部５７の調整が済む。
【００８６】
後は、容量操作部６６が動作停止して可変容量部５７の容量が固定されるとともに、セレクタ６４の選択状態が切り替わって元の標準状態に戻り、切替制御部５５が第３接続端子５３経由の警報Ｒ及び下りＳＲを入力してそれに応動する常態に戻る。
こうして、終止点用踏切制御子６０にあっては、分岐配線ａａ，ｂｂにて伝送される照査用発振信号のレベルを加減調整する可変容量部５７の調整が自動で行われる。
しかも、調整器２５ａ（第１調整部）の加減調整が済んでいれば、模擬装置を用いなくても、踏切器具箱内配線４３を第３接続端子５３から外さなくても、可変容量部５７（第２調整部）の加減調整を行うことができる。
【実施例３】
【００８７】
本発明の終止点用踏切制御子の実施例３について、その具体的な構成を、図面を引用して説明する。図４は、（ａ）が終止点用踏切制御子７０の回路図、（ｂ）が調整治具８０を用いて終止点用踏切制御子７０を調整している状況を示す図である。
【００８８】
この終止点用踏切制御子７０が上述した実施例１の終止点用踏切制御子５０と相違するのは、可変容量部７１（第１調整部）と係合部７４と係合部７５とが追加されている点である。また、終止点用踏切制御子７０が上述した実施例２の終止点用踏切制御子６０と相違するのは、可変容量部５７（第２調整部）での調整を自動化する手段６１〜６６が削除されている点と、その代わりに可変容量部７１（第１調整部）と係合部７４と係合部７５とが追加されている点である。さらに、筐体外面のうち係合部７４，７５の取り付けられている部位が蓋７６で覆われている点と、調整時には、調整治具８０が一時的に装着されて、調整治具８０の制御下で自動調整が行われるようになった点でも、この終止点用踏切制御子７０は終止点用踏切制御子５０とも終止点用踏切制御子６０とも相違している。
【００８９】
先ず、終止点用踏切制御子７０の新規な部分を説明すると、可変容量部７１は、上述した可変容量部５７と同じく筐体に内蔵されているが、介挿先が分岐配線ａａ，ｂｂでなく制御子内配線ＡＡ，ＢＢになっており、特に制御子内配線ＡＡ，ＢＢのうち分岐配線ａａ，ｂｂの分岐点と第１接続端子５１との間の部分に介挿されている。この例では可変容量部７１が制御子内配線ＡＡ，ＢＢのうち制御子内配線ＡＡにだけ接続されている。可変容量部７１も、可変容量部５７と同様、制御子内配線ＡＡ，ＢＢの接続先の第１接続線Ａ１，Ｂ１のインダクタンスの増減の影響を相殺することができれば、単一のバリアブルコンデンサでも良く、複数のコンデンサを組み合わせた回路からなるものでも良い。
【００９０】
この可変容量部７１は、調整器２５ａと同様に制御子内配線ＡＡ，ＢＢにて伝送される照査用発振信号のレベルを加減調整する第１調整部として機能するものであるが、調整器２５ａは分岐点より上流に位置しているため制御子内配線ＡＡ，ＢＢにて伝送される照査用発振信号のレベルだけでなく分岐配線ａａ，ｂｂにて伝送される照査用発振信号のレベルまでも一緒に加減してしまうので、そのような連立性の無い所である分岐点より下流に設けられていて、制御子内配線ＡＡ，ＢＢと第１接続端子５１と第１接続線Ａ１，Ｂ１にて線路１０の接続線取付箇所１４まで伝送される照査用発振信号のレベルだけを分岐配線ａａ，ｂｂの照査用発振信号のレベルから独立して調整しうるものとなっている。
【００９１】
係合部７４，７５は、何れも、例えばボスや六角ボルトのような着脱式の受動部材であり、可変容量部７１，５７に付設して筐体に内蔵されているが、受動部・被駆動部だけは筐体外面に露出しており、外部から例えばスプライン軸や六角レンチのような着脱式の駆動部材にて例えば回転駆動されると、その運動を内部の可変容量部７１，５７に伝達する伝道部材でもある。係合部７４は駆動に応じて可変容量部７１に容量を加減させ、係合部７５は駆動に応じて可変容量部５７に容量を加減させるようになっている。
蓋７６は、係合部７４，７５の保護用のものであり、開閉式か着脱式になっている。
【００９２】
調整治具８０は、可変容量部７１（第１調整部）での調整に加えて可変容量部５７（第２調整部）での調整も自動化する手段８１〜８３を別体に纏めた着脱式のものであり、調整時だけ、調整対象の終止点用踏切制御子７０から蓋７６を外して又は蓋７６を開けて、そこに調整治具８０を一時装着することで、調整治具として動作し使用されるので、複数・多数の終止点用踏切制御子７０に共用しうるものとなっている。上記の自動化手段８１〜８３として容量操作部８１と容量操作部８２とマイクロプロセッサ８３（ＭＰＵ）とが設けられており、図示しない位置決めピンで位置合わせ等をしながら調整治具８０を終止点用踏切制御子７０に仮装着して図示しないフック等で一時的に固定させると、終止点用踏切制御子７０と調整治具８０とが協動して自動調整を行えるよう、係合や接続が随伴して確立するようになっている。
【００９３】
具体的には、小型モータや減速ギヤ等に加えて着脱式の駆動部材を具備した容量操作部８２とそれに対応した着脱式の受動部材を具備した係合部７５とが係合して、上述した容量操作部６６のようにマイクロプロセッサ８３の制御に従って可変容量部５７を操作することで可変容量部５７の容量を増加または減少させることができる状態が整うとともに、やはり小型モータや減速ギヤ等に加えて着脱式の駆動部材を具備した容量操作部８１とそれに対応した着脱式の受動部材を具備した係合部７４とが係合して、上述の容量操作部６６のようにマイクロプロセッサ８３の制御に従って可変容量部７１を操作することで可変容量部７１の容量を増加または減少させることができる状態が整うようになっている。
【００９４】
また、それに加えて更に、調整治具８０では、調整治具８０の内部配線のうちマイクロプロセッサ８３の信号入力線になっている配線の露出端部が終止点用踏切制御子７０の接続端子５８に一時接続されて、リレー駆動部２６の終止Ｒリレーの出力が接続端子５８を介してマイクロプロセッサ８３に伝達されるとともに、調整治具８０の内部配線のうちマイクロプロセッサ８３の信号出力線になっている配線の露出端部が終止点用踏切制御子７０の第３接続端子５３に一時接続されて、マイクロプロセッサ８３から送出された模擬信号（警報Ｒ及び下りＳＲ相当）が第３接続端子５３を介して切替制御部５５に伝達される状態が整うようにもなっている。
【００９５】
マイクロプロセッサ８３（ＭＰＵ，調整制御手段）は、論理演算とデータ記憶ができれば上述したマイクロプロセッサ６５と同様なハードウェアで良いが、ソフトウェアは以下のようになっている。すなわち、調整治具８０が終止点用踏切制御子７０に対して上述のように一時装着されていることと、上述した車軸模擬部材１６が線路１０の接続線取付箇所１４及び接続線取付箇所１５の双方の列車検知長の外側限界位置に仮置きされていることを前提として、マイクロプロセッサ８３は、容量操作部８１を制御して可変容量部７１の容量を加減調整することと、容量操作部８２を制御して可変容量部５７の容量を加減調整することを行うようになっている。両加減調整は独立しているので先後は問わない。
【００９６】
容量操作部８１を制御して可変容量部７１の容量を加減調整する手順を詳述すると、マイクロプロセッサ８３（調整制御手段）は、警報Ｒ及び下りＳＲの模擬信号にて切替制御部５５を制御することにより本物の警報Ｒ及び下りＳＲ（列車運転方向指示）の如何に拘わらず切替回路部５６に第１切替状態をとらせる。これにより、発振有無検出部２５から送出された照査用発振信号が制御子内配線ＡＡ，ＢＢ及び第１接続線Ａ１，Ｂ１を介して線路１０の接続線取付箇所１４に伝送される状態になる。また、マイクロプロセッサ８３は容量操作部８１を制御して可変容量部７１（第１調整部）の容量を一旦は最小か最大の何れかにさせ、その状態が安定するのに十分な時間が経過するのを待つ。
【００９７】
そして、状態が安定した頃、マイクロプロセッサ８３は、容量操作部８１を制御して可変容量部７１の容量を最小から始めたときには最大へ向けて最大から始めたときには最小へ向けてゆっくり単調に変化させることにより、照査用発振信号のレベルを単調に漸増または漸減させるとともに、そうしながらリレー駆動部２６の終止Ｒリレーの励磁状態を監視し続ける。そして、終止Ｒリレーの励磁状態が励磁から無励磁へ又は無励磁から励磁へと変化したらその時点で容量操作部８１を介して可変容量部７１の容量を変化させるのを止め可変容量部７１の容量を固定させる。そのような制御を可変容量部７１の容量の加減調整時に行うようになっているのがマイクロプロセッサ８３である。
【００９８】
また、繰り返しとなる詳細な説明は割愛するが、マイクロプロセッサ８３は、可変容量部５７の容量の加減調整も同様に行うものであり、列車運転方向指示の如何に拘わらず切替制御部５５を介して切替回路部５６に第２切替状態をとらせたうえで、容量操作部８２を介して可変容量部５７（第２調整部）を作動させて、分岐配線ａａ，ｂｂを伝送される照査用発振信号のレベルを単調に漸増または漸減させながら発振有無検出部２５の終止Ｒリレーの励磁状態を監視し、その励磁状態が変化したら可変容量部５７（第２調整部）の作動を停止させるようになっている。
【００９９】
この場合、終止点用踏切制御子７０は、調整治具８０が装着されない常態では、係合部７４も、係合部７５も、蓋７６で覆われて、外部から不所望に操作されることが無いように保護されていることから、可変容量部７１と可変容量部５７の容量が固定されるので、上述した終止点用踏切制御子５０，６０の常態時と同様に動作し使用される。また、常態になる前に、切替回路部５６の切替状態を第１切替状態と第２切替状態に切り替えながら各状態で照査用発振信号のレベルの調整が行われることも、終止点用踏切制御子５０，６０と同様であるが、何れの調整も調整治具８０を用いて自動で行われることが異なる。
【０１００】
すなわち、終止点用踏切制御子７０では、可変容量部５７（第２調整部）だけでなく可変容量部７１（第１調整部）も自動調整されるうえ、その順番は何れが先であっても良い。また、第１調整部として可変容量部７１が設けられたことから、やはり第１調整部として機能する調整器２５ａは、必須でなくなっているので、製造時に設計値に設定しておく等のことで足り、現場設置時には調整していけない訳ではないが調整するまでもないものとなっている。さらに、調整前には、上述した調整前準備と同じように二つの車軸模擬部材１６が線路１０の上に仮置きされ、線路１０における第１接続線Ａ１，Ｂ１の接続線取付箇所１４の両側に位置する上り終止点ＤＤＣの列車検知長の両端のうち起点側の端に設定したい所と、線路１０における第２接続線Ａ２，Ｂ２の接続線取付箇所１５の両側に位置する下り終止点ＢＤＣの列車検知長の両端のうち終点側の端に設定したい所で、レール１１，１２が約０．５Ωの車軸模擬部材１６によって短絡される。
【０１０１】
そのような準備が済むとともに、蓋７６に代えて調整治具８０が終止点用踏切制御子７０に一時装着されると、切替制御部５５ひいては切替回路部５６の状態切替がマイクロプロセッサ８３の制御下に入るとともに、可変容量部７１と可変容量部５７も容量操作部８１，８２や係合部７４，７５を介してマイクロプロセッサ８３の制御下に入り、後はマイクロプロセッサ８３の制御に従って自動で照査用発振信号のレベルが調整される。
その調整時には、マイクロプロセッサ８３の制御によって切替回路部５６が第１，第２切替状態の何れかに切り替えられるが、ここでは第１切替状態が先行するとする。
【０１０２】
切替回路部５６が第１切替状態になると、後は制御主体の明記を省くがやはりマイクロプロセッサ８３の制御によって、可変容量部７１の容量が最小か最大の何れかになるが、ここでは最小になるとする。それから、一旦は最小になった可変容量部７１の容量が、後戻りすることなく、最大へ向けてゆっくり増加するが、終止Ｒリレーの励磁状態が変化すると、その時点で可変容量部７１の容量が固定される。こうして、発振有無検出部２５から送出されて制御子内配線ＡＡ，ＢＢ及び第１接続線Ａ１，Ｂ１を介して線路１０の接続線取付箇所１４に伝送される照査用発振信号のレベルが自動調整されて、上り終止点ＤＤＣの列車検知長が適正な長さに設定される。
【０１０３】
次に、切替回路部５６が第２切替状態に切り替わり、今度は可変容量部５７の容量が最小か最大の何れかになるが、ここでも最小になるとする。それから、やはり、一旦は最小になった可変容量部５７の容量が、後戻りすることなく、最大へ向けてゆっくり増加するが、終止Ｒリレーの励磁状態が変化すると、その時点で可変容量部５７の容量が固定される。こうして、発振有無検出部２５から送出されて制御子内配線ＡＡ，ＢＢの一部と分岐配線ａａ，ｂｂと第２接続線Ａ２，Ｂ２とを介して線路１０の接続線取付箇所１５に伝送される照査用発振信号のレベルが自動調整されて、下り終止点ＢＤＣの列車検知長が適正な長さに設定される。
【０１０４】
これで、上り終止点ＤＤＣの列車検知長に不所望な変動を招く第１接続線Ａ１，Ｂ１の長さ等の影響を解消するために可変容量部７１（第１調整部）で行われる照査用発振信号レベルの加減調整と、下り終止点ＢＤＣの列車検知長に不所望な変動を招く第２接続線Ａ２，Ｂ２の長さ等の影響を解消するために可変容量部５７（第２調整部）で行われる照査用発振信号レベルの加減調整が、何れも完了するので、後は、調整治具８０が終止点用踏切制御子７０から外され、終止点用踏切制御子７０の蓋７６が閉められる。
こうして、終止点用踏切制御子７０は、迅速かつ的確に調整が済み、常態での使用に適うものとなる。
【実施例４】
【０１０５】
本発明の終止点用踏切制御子の実施例４について、その具体的な構成を、図面を引用して説明する。図５は、（ａ）が終止点用踏切制御子９０の回路図、（ｂ）が調整治具１００を用いて終止点用踏切制御子９０を調整している状況を示す図である。
【０１０６】
この終止点用踏切制御子９０が上述した実施例３の終止点用踏切制御子７０と相違するのは、筐体の内外を貫く接続端子９１，９２が蓋７６のカバー範囲内に設けられている点と、制御子内配線ＡＡ，ＢＢのうち分岐配線ａａ，ｂｂの分岐点と発振有無検出部２５との間に属する配線部分から分岐した制御子内配線が接続端子９１，９２に接続されている点と、可変容量部７１，５７の容量調整が調整治具８０でなく調整治具８０を改造した調整治具１００で行われるようになっている点である。
また、調整治具１００が上述した調整治具８０と相違するのは、上述したレベル検出回路６３が追加されている点と、マイクロプロセッサ８３に代わるマイクロプロセッサ１０１がレベル検出回路６３のレベル検出値を入力するように改造されている点である。
【０１０７】
レベル検出回路６３は、調整治具１００が終止点用踏切制御子９０に一時装着されると、接続端子９１，９２を介して制御子内配線ＡＡ，ＢＢから照査用発振信号を入力してそのレベル検出値をマイクロプロセッサ１０１に送出するようになっている。
マイクロプロセッサ１０１は、マイクロプロセッサ８３と同じ遣り方で先に可変容量部７１の容量調整を実行し、その後、マイクロプロセッサ６５と同じ遣り方で可変容量部５７の容量調整を実行するようになっている。なお、マイクロプロセッサ８３，６５相当の遣り方の先後が維持されていれば、可変容量部５７，７１は独立して調整できるので、可変容量部５７と可変容量部７１の調整順序を入れ替えても良い。
【０１０８】
これにより、調整制御手段としてのマイクロプロセッサ１０１は、可変容量部７１（第１調整部）および可変容量部５７（第２調整部）のうち何れか一方７１についてリレー駆動部２６の終止Ｒリレーの励磁状態の変化に基づく調整が済んだらレベル検出回路６３の検出値を取得し、それを調整済みレベル値として記憶保持しておき、それから列車運転方向指示の如何に拘わらず切替回路部５６に第１切替状態および第２切替状態のうちリレー駆動部２６の終止Ｒリレーの励磁状態の変化に基づく調整のときの切替状態（第１切替状態）と異なる切替状態（第２切替状態）をとらせたうえでレベル検出回路６３の検出値が一時記憶の調整済みレベル値に一致するように可変容量部７１（第１調整部）および可変容量部５７（第２調整部）のうち何れか他方５７を作動させるものとなっている。
【０１０９】
この場合、繰り返しとなる詳細な説明は割愛するが、線路１０における接続線取付箇所１４の所の上り終止点ＤＤＣの列車検知長を適正値に設定するために行う可変容量部７１（第１調整部）の容量の加減調整は、実施例３の終止点用踏切制御子７０と調整治具８０との協動について上述したのと同様にして自動実行される。また、線路１０における接続線取付箇所１５の所の下り終止点ＢＤＣの列車検知長を適正値に設定するために行う可変容量部５７（第２調整部）の容量の加減調整は、実施例２の終止点用踏切制御子６０の動作について上述したのと同様にしてやはり自動実行される。そのため、終止点用踏切制御子９０も、迅速かつ的確に調整が済み、速やかに常態での使用に適うものとなる。
【０１１０】
［その他］
上記実施例では、可変容量部５７（第２調整部）や可変容量部７１（第１調整部）が機械的操作によって加減調整されるようになっていたが、第１，第２調整部は、オペアンプ等を用いて照査用発振信号を増幅か減衰する電子回路・電気回路で具体化しても良く、その場合、増幅率等の調整結果値が不揮発性メモリ等に記憶保持されることになるので、容量操作部６６，８１，８２がメモリアクセスの電子回路・電気回路で具体化される。
【０１１１】
上記実施例では、下り終止点ＢＤＣには終止点用踏切制御子が接続されておらず、上り終止点ＤＤＣが共用終止点とされて、そこの接続線取付箇所１４に第１接続線Ａ１，Ｂ１を介して終止点用踏切制御子２４が接続されている踏切保安装置を更新して踏切保安装置４０に改良する場合を詳述したが、上り終止点ＤＤＣには終止点用踏切制御子が接続されておらず、下り終止点ＢＤＣが共用終止点とされて、そこの接続線取付箇所１５に接続線Ａ２，Ｂ２を介して終止点用踏切制御子が接続されている踏切保安装置を更新して改良する場合も、接続線取付箇所１４，１５を入れ替えれば、ほぼ同様に行うことができる。
【０１１２】
上記実施例では、可変容量部５７が、配線ａａ側にだけ設けられて、配線ｂｂ側には設けられていなかったが、可変容量部５７は、配線ａａ側でなく配線ｂｂ側にだけ設けられていても良く、配線ａａ側と配線ｂｂ側との双方に設けられていても良い。コモンモードの雷サージに対する耐力を高めるためには、分岐配線ａａ，ｂｂの両方に同じ容量のコンデンサーを介挿し回線を平衡させるのがベターである。
可変容量部７１も、同様であり、上記実施例では、可変容量部７１が、配線ＡＡ側にだけ設けられて、配線ＢＢ側には設けられていなかったが、可変容量部７１は、配線ＡＡ側でなく配線ＢＢ側にだけ設けられていても良く、配線ＡＡ側と配線ＢＢ側との双方に設けられていても良い。
【０１１３】
上記実施例では、第１接続線Ａ１，Ｂ１や第２接続線Ａ２，Ｂ２を終止点用踏切制御子５０の筐体の接続端子５１や接続端子５２に接続するに際して、第１接続線Ａ１，Ｂ１や第２接続線Ａ２，Ｂ２を配線端子盤２８の端子に一旦接続しておき、その配線端子盤２８から終止点用踏切制御子５０までは踏切器具箱内配線２７，４２で延長するようになっていたが、踏切器具箱内への収納は必須でないので、また踏切器具箱内に収納する場合でも配線端子盤２８の使用は必須でないので、第１接続線Ａ１，Ｂ１や第２接続線Ａ２，Ｂ２は接続端子５１や接続端子５２に直接接続しても良い。
【０１１４】
上記実施例では、踏切制御装置３１の列車運転方向指示を終止点用踏切制御子５０，６０，７０，９０に取り込む際に下りＳＲリレーの接点出力を取り込むようになっていたが、踏切制御装置３１の列車運転方向指示の終止点用踏切制御子５０等への取り込みは、上りＳＲリレーの接点出力を取り込むことで行うようにしても良い。
上記実施例では、踏切８が第１種でそこに踏切遮断機３３が設置されていたが、本発明の実施に踏切遮断機３３は必須でないので、踏切８が第３種の場合は踏切遮断機３３を省いても良い。
【符号の説明】
【０１１５】
８…踏切、１０…線路、１１，１２…レール、
１４，１５…接続線取付箇所、１６…車軸模擬部材、
２１…始動点用踏切制御子（閉電路形踏切制御子）、
２２…終止点用踏切制御子（開電路形踏切制御子）、
２３…始動点用踏切制御子（閉電路形踏切制御子）、
２４…終止点用踏切制御子（開電路形踏切制御子）、
２５…発振有無検出部（電路開閉検出部）、２５ａ…調整器（第１調整部）、
２６…リレー駆動部、２７…踏切器具箱内配線、２８…配線端子盤、
３１…踏切制御装置（列車方向判別手段）、３２…警報灯、３３…踏切遮断機、
４０…踏切保安装置、
４２…踏切器具箱内配線、４３…踏切器具箱内配線（第３接続線）、
５０…終止点用踏切制御子（接続線切替機能付き開電路形踏切制御子）、
５１…第１接続端子、５２…第２接続端子、５３…第３接続端子、
５５…切替制御部、５６…切替回路部、
５７…可変容量部（第２調整部）、５８…接続端子、
６０…終止点用踏切制御子（接続線切替機能付き開電路形踏切制御子）、
６１…小孔、６２…スイッチ（ＳＷ）、６３…レベル検出回路、
６４…セレクタ、６５…マイクロプロセッサ（ＭＰＵ）、６６…容量操作部、
７０…終止点用踏切制御子（接続線切替機能付き開電路形踏切制御子）、
７１…可変容量部（第１調整部）、７４，７５…係合部、７６…蓋、
８０…調整治具、８１，８２…容量操作部、８３…マイクロプロセッサ（ＭＰＵ）、
９０…終止点用踏切制御子（接続線切替機能付き開電路形踏切制御子）、
９１，９２…接続端子、１００…調整治具、１０１…マイクロプロセッサ（ＭＰＵ）、
ＡＡ，ＢＢ…制御子内配線、ａａ，ｂｂ…分岐配線、
Ａ１，Ｂ１…接続線（第１接続線）、Ａ２，Ｂ２…接続線（第２接続線）、
ＡＤＣ…下り始動点、ＢＤＣ…下り終止点、ＣＤＣ…上り始動点、ＤＤＣ…上り終止点
【図１】
0005766088.tif 000002
【図２】
0005766088.tif 000003
【図３】
0005766088.tif 000004
【図４】
0005766088.tif 000005
【図５】
0005766088.tif 000006
【図６】
0005766088.tif 000007
【図７】
0005766088.tif 000008
【図８】
0005766088.tif 000009